(57)【要約】      （修正有）【課題】  クラムシェルタイプで、印字済み用紙を安定に巻き取ることが可能なサーマルプリンタ装置の提供。【解決手段】  第１のシャーシ１２と、回動して開閉するように設けてある第２のシャーシ２０と、プリンタユニット３０とを有する。第１のシャーシ１２は、感熱紙ロール収容部１６を有し、且つ、第１モジュール３１が取り付けてある構成である。第２のシャーシ２０は、第２モジュール５０と印字済み用紙巻き取り軸７５とが取り付けてあり、印字済み用紙ロール収容部２１を有し、且つ、タイミングベルト７３がプーリ６０とプーリ７２との間に掛けてある構成である。第２のシャーシ２０が閉じられた状態で、感熱紙ロール収容部１６が閉じられ、且つ第２モジュール５０が第１モジュール３１と結合されて、モータ３７によってプーリ６０が回転され、巻き取り軸７５が、モータ３７によって、プーリ６０、タイミングベルト７３、プーリ７２を介して回転される。【選択図】  図３
2006272920.tif 000002
【特許請求の範囲】
【請求項１】
感熱紙ロールから引き出されてプリンタユニットを通過した印字済み用紙を巻き取る印字済み用紙巻き取り軸を備えたプリンタ装置において、
前記プリンタユニットは、サーマルヘッド、プラテンローラ及びモータを有する構成であり、
前記プリンタ装置は、
回動して開閉するように設けてある回動開閉部材と、
前記プリンタユニットのモータの回転を前記印字済み用紙巻き取り軸に伝達する回転伝達機構とを有し、
該回動開閉部材が閉じられた状態で、該回動開閉部材が前記感熱紙ロールを収容する感熱紙ロール収容部を覆い、且つ、前記プラテンローラが前記サーマルヘッドに当接し、前記モータによって前記プラテンローラが回転され、且つ、前記印字済み用紙巻き取り軸が前記モータによって前記回転伝達機構を介して回転される構成としたことを特徴とするプリンタ装置。
【請求項２】
感熱紙ロールから引き出されてプリンタユニットを通過した印字済み用紙を巻き取る印字済み用紙巻き取り軸を備えたプリンタ装置において、
前記プリンタユニットは、サーマルヘッド及びモータを有する第１モジュールと、プラテンローラ及び回転体を有する第２モジュールとよりなる構成であり、
前記プリンタ装置は、
第１のシャーシと、
該第１のシャーシに回動して開閉するように設けてある第２のシャーシとを有し、
前記第１のシャーシは、感熱紙ロールを収容する感熱紙ロール収容部を有し、且つ前記第１モジュールが取り付けてある構成であり、
前記第２のシャーシは、前記第２モジュールと前記印字済み用紙巻き取り軸とが取り付けてあり、該回転体の回転を該印字済み用紙巻き取り軸に伝達する回転伝達機構を有し、且つ、巻き取った印字済み用紙ロールを収容する印字済み用紙ロール収容部を有する構成であり、
該第２のシャーシが開いた状態で、前記感熱紙ロール収容部が開かれており、且つ前記第２モジュールが前記第１モジュールから分離しており、
該第２のシャーシが閉じられた状態で、前記感熱紙ロール収容部が閉じられ、且つ前記第２モジュールが前記第１モジュールと結合されて、前記モータによって前記プラテンローラが回転され、且つ、前記モータによって前記回転体が回転され、且つ、前記印字済み用紙巻き取り軸が、前記モータによって、前記回転体、前記回転伝達機構を介して回転される構成としたことを特徴とするプリンタ装置。
【請求項３】
感熱紙ロールから引き出されてプリンタユニットを通過した印字済み用紙を巻き取る印字済み用紙巻き取り軸を備えたプリンタ装置において、
前記プリンタユニットは、サーマルヘッド及びモータを有する第１モジュールと、プラテンローラ及び回転体を有する第２モジュールとよりなる構成であり、
前記プリンタ装置は、
シャーシと、
該シャーシに回動して開閉するように設けてある回動蓋部材とを有し、
前記シャーシは、感熱紙ロールを収容する感熱紙ロール収容部と、前記印字済み用紙巻き取り軸と、巻き取った印字済み用紙ロールを収容する印字済み用紙ロール収容部とを有し、且つ前記第１モジュールが取り付けてある構成であり、
前記回動蓋部材は、前記第２モジュールが取り付けてある構成であり、
前記回転体の回転を該印字済み用紙巻き取り軸に伝達する回転伝達機構を有し、
前記回動蓋部材が開いた状態で、前記感熱紙ロール収容部が開かれており、且つ前記第２モジュールが前記第１モジュールから分離しており、
前記回動蓋部材が閉じられた状態で、前記感熱紙ロール収容部が閉じられ、且つ前記第２モジュールが前記第１モジュールと結合されて、前記モータによって前記プラテンローラが回転され、且つ、前記モータによって前記回転体が回転され、且つ、前記印字済み用紙巻き取り軸が、前記モータによって、前記回転体、前記回転伝達機構を介して回転される構成としたことを特徴とするプリンタ装置。
【請求項４】
感熱紙ロールから引き出されてプリンタユニットを通過した印字済み用紙を巻き取る印字済み用紙巻き取り軸を備えたプリンタ装置において、
前記プリンタユニットは、サーマルヘッド及びモータを有する第１モジュールと、プラテンローラ及び回転体を有する第２モジュールとよりなり、
前記プリンタ装置は、
第１のシャーシと、
該第１のシャーシに対して取り外し可能に装着される第２のシャーシとを有し、
前記第１のシャーシは、前記第１モジュールが取り付けてある構成であり、
前記第１のシャーシは、感熱紙ロールを収容する感熱紙ロール収容部を有し、且つ前記第１モジュールが取り付けてある構成であり、
前記第２のシャーシは、前記第２モジュールと前記印字済み用紙巻き取り軸とが取り付けてあり、該回転体の回転を該印字済み用紙巻き取り軸に伝達する回転伝達機構を有し、且つ、下面側に前記感熱紙ロールを保持する感熱紙ロール保持部を有し、上面側に巻き取った印字済み用紙ロールを収容する印字済み用紙ロール収容部を有し、前記感熱紙ロールから引き出された感熱紙が前記第２モジュールの部分を通り、前記第２のシャーシの上面側を通って先端が前記印字済み用紙巻き取り軸に巻き付けてある構成であり、
前記第２のシャーシが前記第１のシャーシに装着された状態で、前記第２モジュールが前記第１モジュールと結合されて、前記モータによって前記プラテンローラが回転され、且つ、前記モータによって前記回転体が回転され、且つ、前記印字済み用紙巻き取り軸が、前記モータによって、前記回転体、前記回転伝達機構を介して回転される構成としたことを特徴とするプリンタ装置。
【請求項５】
請求項１乃至４のうち何れか一項記載のプリンタ装置において、
前記モータは、第１のモータと第２のモータよりなり、
前記第１のモータが前記プラテンローラを回転させ、
前記印字済み用紙巻き取り軸は、前記第２のモータによって回転される構成としたことを特徴とするプリンタ装置。
【請求項６】
ラベルがテープ状の剥離用紙に並んで貼り付けてあるラベル用紙ロールを使用し、該ラベルに印字を行うプリンタユニットを有するプリンタ装置において、
回動されて開閉されるシャーシに、
印字されたラベルを前記テープ状剥離用紙から剥離させる印字ラベル手段と、
印字されたラベルが剥離された前記テープ状剥離用紙を巻き取るテープ状剥離用紙巻き取り軸とを設けてなり、
該テープ状剥離用紙巻き取り軸が、前記プリンタユニットのモータの回転を伝達されて回転される構成としたことを特徴とするプリンタ装置。
【発明の詳細な説明】
【技術分野】
【０００１】
本発明はプリンタ装置に係り、特に、ジャーナルタイプのサーマルプリンタ装置に関する。
【背景技術】
【０００２】
感熱紙ロールを使用するサーマルプリンタ装置は、プリンタユニットが、サーマルヘッドとプラテンローラとよりなる構成である。
【０００３】
このサーマルプリンタ装置は、印字した用紙を顧客に手渡すためにカットして送り出すレシートタイプの他に、情報を保管するために印字した用紙を巻き取るジャーナルタイプがある。
【０００４】
レシートタイプでは、感熱紙ロールのセットが容易に行われるようにクラムシェルタイプが一般的となっている。クラムシェルタイプは、ロールを収容するロール収容部を覆うカバーを回動開閉可能に設け、このカバーの先端にプラテンローラを有し、カバーが閉じられた状態で、プラテンローラが感熱紙をプラテンローラとサーマルヘッドとの間に挟み込み、カバーを引き上げて開くとロール収容部の上方が開放されて、感熱紙ロールのセットが容易に行われるようにしてある構成である。
【０００５】
操作者が携帯するサーマルプリンタ装置は、レシートタイプであり、レシートタイプのサーマルプリンタ装置では小型化が進んでいる。
【０００６】
しかし、ジャーナルタイプは、大きい径の感熱紙ロールを使用し、一回の印字のライン数が少ない。例えば、小売店のＰＯＳについてみると、レシートタイプでは一人の顧客について販売した商品毎に一行が使用されるのに対して、ジャーナルタイプでは、一人の顧客について購入した商品の合計額が印字されるため一人の顧客について一行程度で足りる。このため、新しい感熱紙ロールを補給する頻度が少ないなどの理由で、クラムシェルタイプとはなっていない。ＰＯＳの側面のカバーを取外して、側面側から、感熱紙ロールの補給等を行っているのが一般的である。
【０００７】
今までは、ジャーナルタイプのサーマルプリンタ装置は据え置き型であるため、上記の構成で特に問題はなかった。
【０００８】
しかし、今後、サービスの多様化に伴って、操作者がジャーナルタイプのサーマルプリンタ装置を携帯することが必要となってくることが考えられる。
【０００９】
そこで、ジャーナルタイプのサーマルプリンタ装置も、クラムシェルタイプとし、且つ小型化を図ることが必要となってくる。
【００１０】
ここで、ジャーナルタイプの場合は、印字した用紙を巻き取る動作が安定に行われるようにすることが必要であり、また、携帯されることを考慮すると、どのような姿勢となっても、不都合が起きない構造とすることも必要である。
【特許文献１】特開平１１−１８５０６４公報
【発明の開示】
【発明が解決しようとする課題】
【００１１】
上記の特開平１１−１８５０６４公報に記載してあるジャーナルタイプのサーマルプリンタ装置は、上面カバーが開閉可能であり、この上面カバーにプラテンローラが取り付けてある構成である。
【００１２】
しかし、印字した用紙を巻き取る動作が、感熱紙ロールから引き出される感熱紙との摩擦を利用している構成であり、印字した用紙を巻き取る動作が不安定となる。また、印字した用紙の印字された面が、感熱紙ロールから引き出される感熱紙と擦れるため、感熱紙ロールから引き出される感熱紙が無用に汚れてしまう虞れもある。
【００１３】
そこで、本発明は、上記課題を解決したプリンタ装置を提供することを目的とする。
【課題を解決するための手段】
【００１４】
本発明は、感熱紙ロールから引き出されてプリンタユニットを通過した印字済み用紙を巻き取る印字済み用紙巻き取り軸を備えたプリンタ装置において、
前記プリンタユニットは、サーマルヘッド及びモータを有する第１モジュールと、プラテンローラ及び回転体を有する第２モジュールとよりなる構成であり、
前記プリンタ装置は、
第１のシャーシと、
該第１のシャーシに回動して開閉するように設けてある第２のシャーシとを有し、
前記第１のシャーシは、感熱紙ロールを収容する感熱紙ロール収容部を有し、且つ前記第１モジュールが取り付けてある構成であり、
前記第２のシャーシは、前記第２モジュールと前記印字済み用紙巻き取り軸とが取り付けてあり、該回転体の回転を該印字済み用紙巻き取り軸に伝達する回転伝達機構を有し、且つ、巻き取った印字済み用紙ロールを収容する印字済み用紙ロール収容部を有する構成であり、
該第２のシャーシが開いた状態で、前記感熱紙ロール収容部が開かれており、且つ前記第２モジュールが前記第１モジュールから分離しており、
該第２のシャーシが閉じられた状態で、前記感熱紙ロール収容部が閉じられ、且つ前記第２モジュールが前記第１モジュールと結合されて、前記モータによって前記プラテンローラが回転され、且つ、前記モータによって前記回転体が回転され、且つ、前記印字済み用紙巻き取り軸が、前記モータによって、前記回転体、前記回転伝達機構を介して回転される構成としたことを特徴とする。
【発明の効果】
【００１５】
本発明によれば、第２のシャーシが回動して開閉するように設けてあることによって、ジャーナルタイプのプリンタ装置をクラムシェルタイプとすることが出来る。しかも、印字済み用紙巻き取り軸が、プリンタユニットのモータによって回転体、回転伝達機構を介して回転されるため、印字済み用紙巻き取り軸の巻取り力は十分に強く、よって、印字済み用紙をしっかり安定に巻き取ることが出来る。
【発明を実施するための最良の形態】
【００１６】
次に本発明の実施例について説明する。
【実施例１】
【００１７】
図１（Ａ），（Ｂ）は本発明の実施例１になるジャーナルサーマルプリンタ装置１０の原理図である。図２は本発明の実施例１になるジャーナルサーマルプリンタ装置１０を示し、図３はこのプリンタ装置１０を分解して示す。Ｘ１−Ｘ２はプリンタ装置１０の幅方向、Ｙ１−Ｙ２は長手方向、Ｚ１−Ｚ２は高さ方向である。
【００１８】
プリンタ装置１０は、クラムシェルタイプであり、第１のシャーシ１１と、第２のシャーシ２０と、プリンタユニット３０とを有し、図２に示すように、上側蓋８１を備えたケース８０内に組み込んである。上側蓋８１は閉じた状態では第２のシャーシ２０を覆っており、Ｙ２側を引き上げることによってＹ１側を中心に回動して開かれる。
【００１９】
図３に示すように、第１のシャーシ１１は、略箱形状であり、底板部１２と、Ｙ１側の壁部１３と、Ｙ２側の壁部１４とを有する。壁部１３と壁部１４との間に空間部１５を有する。空間部１５には、第２のシャーシ２０が収まる。壁部１３は、Ｚ１側から見てＵ字形状を有し、第２のシャーシ２０を回動可能に支持する。壁部１４は、Ｚ１側から見て略Ｈ字形状であり、Ｘ１−Ｘ２方向に長い壁板１４ａのＹ１側には、感熱紙ロール９０を落とし込んで収容する感熱紙ロール収容部１６を有する。
【００２０】
図３に示すように、第２のシャーシ２０は、略船形状であり、Ｙ１側の上面側に、印字済み感熱紙であるジャーナル用紙を巻き取ったロールであるジャーナル用紙巻き取りロール９２を収容する収容部２１を有し、このジャーナル用紙巻き取りロール収容部２１から略Ｙ２方向に延びている延長板部２２を有する。
【００２１】
軸ピン２９が、壁部１３の孔１３ａと第２のシャーシ２０の壁の孔２５に差し込んであり、第２のシャーシ２０は、この軸ピン２９を中心に、図１（Ａ）及び図２に示す「閉じ位置」と、図１（Ｂ）に示す「開き位置」との間で回動可能である。「閉じ位置」において、第２のシャーシ２０のうち、ジャーナル用紙巻き取りロール収容部２１が空間部１５内に収まり、延長板部２２は、感熱紙ロール収容部１６の上側を覆う。
【００２２】
図４、図５（Ａ），（Ｂ）に示すように、プリンタユニット３０は、第１モジュール３１に、第２モジュール５０が分離可能に結合される構成である。
【００２３】
図５は概略側面図であり、同図（Ａ）は第２モジュール５０が第１モジュール３１から離されている状態を示し、同図（Ｂ）は第２モジュール５０が第１モジュール３１に結合されている状態を示す。図６は第１モジュール３１をそのＸ１，Ｘ２側を逆にした姿勢でＹ１側から見て示す。図７は図４に示す姿勢の第１モジュール３１及び第２のモジュール５０からギヤ列、モータ、ギヤ列、プラテンローラ、プーリ等を取り出して示す。
【００２４】
図４、図５（Ａ）、図６及び図７に示すように、第１モジュール３１は、フレーム３２のＹ１側に、ヘッド圧付勢板ばね部材３３、サーマルヘッド支持部材３４、サーマルヘッド３５を有し、フレーム３２のＹ２側に、用紙送りパルスモータ３６及びジャーナル用紙巻き取りパルスモータ３７が取り付けてあり、フレーム３２のＸ２側に、ギヤ列３８を有し、フレーム３２のＸ１側に、ギヤ列４０を有し、更に、フレーム３２にロック部材４５、４６、操作レバー４７等が取り付けてある構成である。
【００２５】
第１のギヤ列３８は用紙送りパルスモータ３６の回転を伝達する。３９は出力ギヤである。第２のギヤ列４０はジャーナル用紙巻き取りパルスモータ３７の回転を伝達する。４１は出力ギヤである。ロック部材４５、４６はＸ１、Ｘ２側に配置してあり、連動する構成であり、ばね（図示せず）によって図５（Ａ）中反時計方向に付勢されている。操作レバー４７はロック部材４６から延びて形成してある。
【００２６】
図４、図５（Ａ）及び図７に示すように、第２モジュール５０は、フレーム５１に、プラテンローラ５２、ギヤ列５５及びプーリ６０等が取り付けてある構成である。
【００２７】
プラテンローラ５２は中心軸５３の両端の中心軸部５３Ｘ１，５３Ｘ２をフレーム５１に回転可能に支持されている。中心軸部５３Ｘ２にはギヤ５４が固定してある。
【００２８】
ギヤ列５５は、ギヤ５６、５７，５８よりなり、フレーム５１のＸ１側に設けてある。ギヤ５６は中心軸部５３Ｘ１に回転可能に支持してある。プーリ６０は、中心側回転体６１と、外周側のプーリ本体６２と、中心側回転体６１とプーリ本体６２との間のトルクリミッタ部６３とよりなり、中心側回転体６１がギヤ５８と一体の軸５９に固定してあり、フレーム５１の外側に設けてある。軸５９はフレーム５１に回転可能に支持されている。
【００２９】
図３に示すように、第１モジュール３１は第１のシャーシ１１の壁部１４上に取り付けてある。第２モジュール５０は第２のシャーシ２０の延長板部２２の先端の下面に取り付けてある。
【００３０】
図１及び図３に示すように、第２のシャーシ２０には、Ｙ１側のＸ１側の側板に植わっている軸７０に、ギヤ７１を一体に有するプーリ７２が回転可能に支持してある。前記のプーリ６０とプーリ７２との間にタイミングベルト７３が掛け渡してある。
【００３１】
第２のシャーシ２０のジャーナル用紙巻き取りロール収容部２１のＸ方向上両側の側板には、Ｕ溝２３，２４が形成してある。Ｘ１側の端にギヤ７４が固定してあるジャーナル用紙巻き取り軸７５が、Ｕ溝２３，２４に嵌合して支持されてあり、ジャーナル用紙巻き取りロール収容部２１をＸ方向に横切っており、ギヤ７４がギヤ７１と噛み合っている。ジャーナル用紙巻き取り軸７５はＺ１方向に引き上げることによって第２のシャーシ２０から取り外すことが可能である。
【００３２】
次に、上記構成になるジャーナルサーマルプリンタ装置１０の動作及び操作について説明する。
（１）印字開始の準備操作
上側蓋８１を開き、第２のシャーシ２０を図１（Ｂ）に示す「開き位置」に回動させ、感熱紙ロール９０を感熱紙ロール収容部１６に落とし込んで収容し、図５に示すように、感熱紙ロール９０から感熱紙９１を引き出し、感熱紙９１を第２モジュール５０の前側を通って、第２のシャーシ２０の延長板部２２の上面側を通って、先端をジャーナル用紙巻き取り軸７５に巻き付け、ジャーナル用紙巻き取り軸７５をＵ溝２３，２４に嵌合させる。これにより、ギヤ７４がギヤ７１と噛み合う。この後、第２のシャーシ２０を図１（Ａ）に示す「閉じ位置」に回動させ、プラテンローラ５２の両端の中心軸部５３Ｘ１，５３Ｘ２を夫々ロック部材４５、４６にロックさせる。
【００３３】
これによって、プラテンローラ５２とサーマルヘッド３５との間に感熱紙９１が挟み込まれる。また、ギヤ５４が出力ギヤ３９と噛み合い、ギヤ５６が出力ギヤ４１と噛み合う。最後に、上側蓋８１を閉じる。
（２）印字動作
印字指令によって、サーマルヘッド３５が駆動され、また、用紙送りパルスモータ３６及びジャーナル用紙巻き取りパルスモータ３７が所定のタイミングで駆動される。
【００３４】
サーマルヘッド３５が駆動されて感熱紙９１に印字が行われる。
【００３５】
用紙送りパルスモータ３６が駆動されて、第１のギヤ列３８、ギヤ５４を介してプラテンローラ５２が回転されて、印字された感熱紙９１Ａが送り出される。
【００３６】
ジャーナル用紙巻き取りパルスモータ３７が駆動されて、第２のギヤ列４０、ギヤ列５５、プーリ６０、タイミングベルト７３、プーリ７２、ギヤ７１、ギヤ７４を介してジャーナル用紙巻き取り軸７５が時計方向に回転され、印字された感熱紙９１Ａがジャーナル用紙巻き取り軸７５の周りに巻き取られ、ジャーナル用紙巻き取りロール収容部２１内に、印字済感熱紙ロール９２が徐々に形成される。
【００３７】
プーリ６０内のトルクリミッタ部６３の作用によって、プラテンローラ５２から第２のシャーシ２０の上側を通ってジャーナル用紙巻き取り軸７５ヘ到る部分は、テンションＴを有して張っており、印字済感熱紙ロール９２は感熱紙９１Ａがきつく巻かれて形成される。
【００３８】
上記のジャーナルサーマルプリンタ装置１０を携帯機器に組み込んだ場合には、ジャーナルサーマルプリンタ装置１０の姿勢は安定しなくなる。しかし、ジャーナル用紙巻き取りパルスモータ３７からジャーナル用紙巻き取り軸７５への回転の伝動は、タイミングベルト７３等を介して行われており、ジャーナルサーマルプリンタ装置１０の姿勢が変化しても回転の伝動は安定に維持され、感熱紙９１Ａは安定に巻かれる。
【００３９】
また、印字済感熱紙ロールを形成するための専用のジャーナル用紙巻き取りパルスモータ３７を設けていることによって、ジャーナル用紙巻き取り軸７５には十分なトルクが伝達され印字済感熱紙ロール９２はその径が大きくなった場合でも印字済感熱紙ロール９２は安定して形成される。
（３）感熱紙ロール交換操作
感熱紙ロール９０の感熱紙９１が全部使用されると、操作者は、上側蓋８１を開き、印字済感熱紙ロール９２を引き上げてジャーナル用紙巻き取り軸７５と一体的に取り出し、印字済感熱紙ロール９２をジャーナル用紙巻き取り軸７５から抜き出し保管する。
【００４０】
操作レバー４７を操作し、プラテンローラ５２の両端の中心軸部５３Ｘ１，５３Ｘ２のロック部材４５、４６によるロックを解除させ、第２のシャーシ２０を図１（Ｂ）に示す「開き位置」に回動させ、新しい感熱紙ロール９０を第１の感熱紙ロール収容部１６に落とし込んで収容する。
【００４１】
以後は、前記の印字開始の準備操作と同じく、図４に示すように、感熱紙ロール９０から感熱紙９１を引き出し、感熱紙９１を第２モジュール５０の前側を通って、第２のシャーシ２０の延長板部２２の上面側を通って、先端をジャーナル用紙巻き取り軸７５に巻き付け、ジャーナル用紙巻き取り軸７５をＵ溝２３，２４に嵌合させる。この後、第２のシャーシ２０を図１（Ａ）に示す「閉じ位置」に回動させ、プラテンローラ５２の両端の中心軸部５３Ｘ１，５３Ｘ２を夫々ロック部材４５、４６にロックさせる。最後に、上側蓋８１を閉じる。
【００４２】
よって、感熱紙ロール交換操作は、手際よく行われる。
【実施例２】
【００４３】
図８（Ａ），（Ｂ）は本発明の実施例２になるジャーナルサーマルプリンタ装置１０Ａの原理図である。図９は本発明の実施例２になるジャーナルサーマルプリンタ装置１０Ａを示す。
【００４４】
プリンタ装置１０Ａは、図１乃至図３に示す実施例１のジャーナルサーマルプリンタ装置１０とは、以下の点が相違する構成である。
【００４５】
プリンタ装置１０Ａは、第１のシャーシ１１Ａと回動蓋部材１００とを有し、ジャーナル用紙巻き取りロール収容部２１を第１のシャーシ１１Ａに設け、回動蓋部材１００を第１の感熱紙ロール収容部１６を開閉するように設けた構成である。
【００４６】
ジャーナル用紙巻き取りロール収容部２１は第１のシャーシ１１Ａの一部に設けてある。蓋１００は、図３中の第２のシャーシ２０の延長板部２２に略対応するものであり、軸１０１によって第１のシャーシ１１Ａに支持してあり、図８（Ａ）及び図９に示す「閉じ位置」と、図８（Ｂ）に示す「開き位置」との間で回動可能である。図９中の二点鎖線は、蓋１００の「開き位置」を示す。「閉じ位置」において、回動蓋部材１００は、第１の感熱紙ロール収容部１６の上側を覆う。
【００４７】
プリンタユニット３０の第１モジュール３１が第１のシャーシ１１Ａに取り付けてあり、第２モジュール５０が回動蓋部材１００の先端の下面に取り付けてある。
【００４８】
印字済感熱紙ロールはジャーナル用紙巻き取りロール収容部２１に形成される。新しい感熱紙ロール９０は、回動蓋部材１００を開いて第１の感熱紙ロール収容部１６内に供給される。
【００４９】
回動蓋部材１００のＹ方向のサイズが図３中の第２のシャーシ２０のＹ方向のサイズに比較して短いため、第１の感熱紙ロール収容部１６の上面側を開放するときの、第２モジュール５０のＺ１方向への移動量が少なく、よって、操作がしやすい。また、回動蓋部材１００のＹ方向のサイズが短いことによって、簡単な操作でもって、第１の感熱紙ロール収容部１６の上面側を広く開放させることが出来、よって、新しい感熱紙ロール９０が大きい径である場合に好適である。感熱紙ロール９０が大きい径である場合には印字済感熱紙ロール９２も大きい径となって重くなる。回動蓋部材１００を開く場合に、印字済感熱紙ロール９２は負荷とならず、回動蓋部材１００は軽く開かれ、このことによっても、新しい感熱紙ロール９０を補給する作業はし易い。
【実施例３】
【００５０】
図１０（Ａ），（Ｂ）は本発明の実施例３になるジャーナルサーマルプリンタ装置１０Ｂの原理図である。図１１は本発明の実施例３になるジャーナルサーマルプリンタ装置１０Ｂを示す。
【００５１】
プリンタ装置１０Ｂは、図１乃至図３に示す実施例１のジャーナルサーマルプリンタ装置１０とは、以下の点が相違する構成である。
【００５２】
プリンタ装置１０Ｂは、第２のシャーシ２０Ｂがカセット１２０を構成し、第２のシャーシ２０Ｂが第１のシャーシ１１Ｂに装着され且つ第１のシャーシ１１Ｂから取り外される構成である。
【００５３】
プリンタユニット３０の第１モジュール３１が第１のシャーシ１１Ｂに取り付けてあり、第２モジュール５０が第２のシャーシ２０Ｂに取り付けてある。
【００５４】
第２のシャーシ２０Ｂは、ジャーナル用紙巻き取りロール収容部２１及び延長板部２２に加えて、延長板部２２の下側に、感熱紙ロール保持部１１０を有する構成である。感熱紙ロール保持部１１０は、図１２に示すように、Ｘ方向上の両側に、先端に凸部１１１，１１２を有しておりばね性を有する支持腕部１１３，１１４を有する構成である。感熱紙ロール９０は、その中心の穴の両端を凸部１１１，１１２に係止されて、感熱紙ロール保持部１１０に吊り下げられた状態で保持される。また、ジャーナル用紙巻き取りロール収容部２１のＸ方向上の両側に、支持ピン１２１を有する。
【００５５】
第２のシャーシ２０Ｂは、第１のシャーシ１１Ｂに装着される前の状態では、感熱紙ロール９０が感熱紙ロール保持部１１０に保持されており、感熱紙ロール９０より引き出された感熱紙９１が第２モジュール５０の前側を通り、延長板部２２の上面側を通って、先端をジャーナル用紙巻き取り軸７５に巻き付けてある状態となっている。
【００５６】
操作者は、感熱紙ロール９０が保持されている第２のシャーシ２０Ｂを、Ｚ１側から第１のシャーシ１１Ｂ上に降ろし、最初に、支持ピン１２１を第１のシャーシ１１ＢのＵ溝１２２に嵌合させ、続いて、Ｙ２側を降ろす操作をする。
【００５７】
このことによって、第２モジュール５０が第１モジュール３１と結合されて、第２のシャーシ２０Ｂは第１のシャーシ１１Ｂと結合される。第２モジュール５０と第１モジュール３１との間では、プラテンローラ５２とサーマルヘッド３５との間に感熱紙９１が挟み込まれ、また、ギヤ５４が出力ギヤ３９と噛み合い、ギヤ５６が出力ギヤ４１と噛み合った状態となり、印字動作可能となる（図７参照）。印字動作が進行するにつれて、ジャーナル用紙巻き取り軸７５の周りに印字済感熱紙ロール９２が形成される。
【００５８】
感熱紙ロール９０の感熱紙９１が全部使用されると、操作者は、カセット１２０を図１０（Ｂ）に示すように第１のシャーシ１１Ｂから取外し、新しいカセット１２０を第１のシャーシ１１Ｂに装着する。これによって印字動作可能となる。よって、感熱紙ロール交換操作は、手際よく行われる。
［ジャーナルサーマルプリンタ装置１０，１０Ａ，１０Ｂの設置の一例］
次に、上記のジャーナルサーマルプリンタ装置１０，１０Ａ，１０Ｂの設置の一例を説明する。
【００５９】
ジャーナルサーマルプリンタ装置１０，１０Ａ，１０Ｂは、図１３に示すように、レシートサーマルプリンタ装置１３０と並んで設置される。レシートサーマルプリンタ装置１３０は、プリンタユニット３０Ａを有し、プリンタユニット３０Ａは、第１モジュール３１Ａに第２モジュール５０Ａが分離可能に結合される構成であり、クラムシェルタイプである。プリンタユニット３０Ａは、前記のプリンタユニット３０とは、カッタ機構１３１を備えている点が相違する。
［ジャーナルサーマルプリンタ装置１０，１０Ａ，１０Ｂの変形例］
次に、ジャーナルサーマルプリンタ装置１０，１０Ａ，１０Ｂの変形例について説明する。
【００６０】
図７を参照するに、プーリ６０は、トルクリミッタ部６３に代えて、ワンウェイクラッチを組み込んだ構成でもよい。
【００６１】
また、プーリ６０は通常の構成とし、別のプーリ７２をトルクリミッタ部を組み込んだ構成としてもよい。
【００６２】
図１４はプリンタユニットの別の例を示す。プリンタユニット３０Ｃは、第１モジュール３１Ｃに、第２モジュール５０Ｃが結合されている構成である。第１モジュール３１Ｃは、ジャーナル用紙巻き取りパルスモータ３７を省略して、用紙送りパルスモータ３６だけが設けてある。用紙送りパルスモータ３６が、プラテンローラ５２を回転させると共にプーリ６０をも回転させる構成である。
【００６３】
図１５は、実施例１の変形例を示す。第２のシャーシ２０Ｄは、延長板部２２の上側のＹ２側とＹ１側とに円柱形状のガイドバー１３０，１３１を有し、且つ、ジャーナル用紙巻き取り軸７５が反時計方向に回転される構成である。上側蓋８１Ｄには覗き窓１３２が形成してある。印字済感熱紙９１Ａは、ロール９２の径の大小に関係なく、ガイドバー１３０，１３１によって案内されて覗き窓１３２の直ぐ下側の同じ高さ位置を移動する。よって、覗き窓１３２を通して印字内容を確認することが可能である。
【００６４】
図１６は、ラベル１５０がテープ状の剥離用紙１５１に並んで貼り付けてあるラベル用紙ロール１５２に適用した例を示す。印字されたラベル１５１Ａは剥離バー１４０，１４１によってテープ状剥離用紙１５１から剥離されてＺ１方向に送り出され、テープ状剥離用紙１５１は巻き取り軸７５に巻き付けられて、ロール１６０となる。
【図面の簡単な説明】
【００６５】
【図１】本発明の実施例１になるジャーナルサーマルプリンタ装置の原理図である。
【図２】本発明の実施例１になるジャーナルサーマルプリンタ装置がケース内に組み込んである構成を示す図である。
【図３】本発明の実施例１になるジャーナルサーマルプリンタ装置を分解して示す斜視図である。
【図４】図３中のプリンタユニットを示す斜視図である。
【図５】図４のプリンタユニットの分離及び結合を示す図である。
【図６】第１のモジュールを示す図である。
【図７】図４のプリンタユニットの第１のモジュールと第２のモジュールとからモータ、ギヤ列、プラテンローラ、プーリ等を取り出して示す図。
【図８】本発明の実施例２になるジャーナルサーマルプリンタ装置の原理図である。
【図９】本発明の実施例２になるジャーナルサーマルプリンタ装置の斜視図である。
【図１０】本発明の実施例３になるジャーナルサーマルプリンタ装置の原理図である。
【図１１】本発明の実施例３になるジャーナルサーマルプリンタ装置の斜視図である。
【図１２】感熱紙ロール保持部を示す図である。
【図１３】ジャーナルサーマルプリンタ装置の設置の一例を示す図である。
【図１４】プリンタユニットの変形例を示す図である。
【図１５】図２のジャーナルサーマルプリンタ装置の変形例を示す図である。
【図１６】ラベル用紙ロールに適用した例を示す図である。
【符号の説明】
【００６６】
１０、１０Ａ，１０Ｂ，１０Ｃ，１０Ｄ  ジャーナルサーマルプリンタ装置
１１  第１のシャーシ
１６  感熱紙ロール収容部
２０  第２のシャーシ
２１  ジャーナル用紙巻き取りロール収容部
２２  延長板部
２３，２４  Ｕ溝
２９  軸ピン
３０  プリンタユニット
３１  第１モジュール
３５  サーマルヘッド
３６  用紙送りパルスモータ
３７  ジャーナル用紙巻き取りパルスモータ
３８，４０  ギヤ列
４５，４６  ロック部材
５０  第２モジュール
５２  プラテンローラ
６０  プーリ
６３  トルクリミッタ部
７２  プーリ
７３  タイミングベルト
７５  ジャーナル用紙巻き取り軸
８０  ケース
８１  上側蓋
１００  回動蓋部材
１２０  カセット
１４０，１４１  剥離バー
【図１】
2006272920.tif 000003
【図２】
2006272920.tif 000004
【図３】
2006272920.tif 000005
【図４】
2006272920.tif 000006
【図５】
2006272920.tif 000007
【図６】
2006272920.tif 000008
【図７】
2006272920.tif 000009
【図８】
2006272920.tif 000010
【図９】
2006272920.tif 000011
【図１０】
2006272920.tif 000012
【図１１】
2006272920.tif 000013
【図１２】
2006272920.tif 000014
【図１３】
2006272920.tif 000015
【図１４】
2006272920.tif 000016
【図１５】
2006272920.tif 000017
【図１６】
2006272920.tif 000018